(57)【要約】【課題】係合部材の繰り返しの移動によって第１の溝部内が削られる場合でも、カム溝の幅を広く形成せずにカム溝の機能を維持することのできるカード用コネクタを提供する。【解決手段】第１の溝部５１に設けた案内部５１ｆにより、第２の溝部５２の近傍を移動する係合ピン４０を第２の溝部５２の反対側に案内するようにしたので、係合ピン４０によって第１の溝部５１の段差部５１ｅが削られることにより形成される傾斜部５１ｅ′を第２の溝部５２の反対側に寄るように形成することができる。これにより、段差部５１ｅは係合ピン４０を第２の溝部５２側に案内しようとする部分を残さずに削られるので、第１の溝部５１の一端側から他端側に向かって移動しようとする係合ピン４０が第１の溝部２ａの傾斜部５１ｅ′から直接第２の溝部５２側に移動することがない。【選択図】  図７
2005005203.tif 000002
【特許請求の範囲】
【請求項１】
一端側にカード挿入口を有するコネクタ本体と、コネクタ本体の他端側に設けられた複数のカード接続用端子と、カードと共にカード挿入方向に移動するスライド部材と、スライド部材をカード排出方向に付勢する付勢手段と、スライド部材に設けたカム溝に移動自在に係合する係合部材とを備え、カードを挿入方向に押圧すると係合部材をカム溝の第１の溝部の一端側から他端側に移動させ、カードの押圧を解除すると係合部材を第１の溝部の所定位置から第２の溝部に移動させて係合部材を第２の溝部の所定位置に係止し、再度カードを挿入方向に押圧すると係合部材を第２の溝部から第３の溝部の一端側に移動させ、カードの押圧を解除すると係合部材を第３の溝部の他端側に移動させるようにしたカード用コネクタにおいて、
前記第１の溝部内における少なくとも第２の溝部の近傍に、第１の溝部の一端側から他端側に向かって移動する係合部材を第２の溝部の反対側に案内する案内部を設けた
ことを特徴とするカード用コネクタ。
【請求項２】
前記案内部を第１の溝部の底面の幅方向一端側を他端側よりも低くすることによって形成した
ことを特徴とする請求項１記載のカード用コネクタ。
【発明の詳細な説明】
【０００１】
【発明の属する技術分野】
本発明は、例えば車載用オーディオ機器、携帯端末、パーソナルコンピュータ及びその周辺機器等に用いられる、いわゆるメモリーカードが挿入されて電気的に接続されるカード用コネクタに関するものである。
【０００２】
【従来の技術】
従来、この種のカード用コネクタとしては、一端側にカード挿入口を有するコネクタ本体と、コネクタ本体内の他端側に設けられた複数のカード接続用端子とを備え、カードを挿入方向に押圧すると、所定の挿入位置でカードを保持するとともに、再度カードを挿入方向に押圧した後、押圧を解除するとカードを反挿入方向に排出する、いわゆるプッシュ・プッシュ式のカードロック機構を備えたものが知られている（例えば、特許文献１参照。）。
【０００３】
例えば、図１１乃至図１３に示すコネクタは、カードと共に移動するスライド部材１に、いわゆるハートカムからなるカム溝２を設け、カム溝２にはコネクタ本体に連結された係合ピン３を係合することにより、係合ピン３がスライド部材１の移動に伴ってハートカム２に沿って移動するように構成されている。
【０００４】
即ち、前記コネクタでは、カードを挿入方向に押圧すると、スライド部材１がカード挿入方向に移動し、図１１（ａ）  に示すように係合ピン３がカム溝２の第１の溝部２ａの一端側から他端側に移動する。この後、カードの押圧を解除すると、図１１（ｂ）  に示すように係合ピン３が第１の溝部２ａの所定位置から第２の溝部２ｂの一端側に移動し、係合ピン３が第２の溝部２ｂ内の所定位置に係止する。これにより、カードがコネクタ本体内に保持される。次に、再度カードを挿入方向に押圧すると、図１１（ｃ）  に示すように係合ピン３が第２の溝部２ｂの他端側から第３の溝部２ｃの一端側に移動し、カードの押圧を解除すると、図１１（ｄ）  に示すように係合ピン３が第３の溝部２ｃの他端側に移動する。これにより、カードがコネクタ本体内から排出される。
【０００５】
【特許文献１】
特開２００１−２６７０１３号公報
【０００６】
【発明が解決しようとする課題】
ところで、前記コネクタでは、係合ピン３を第１の溝部２ａから第３の溝部２ｃに順次移動させるために、各溝部２ａ，２ｂ，２ｃに係合ピン３の移動方向に低くなる段差部２ｄ，２ｅ，２ｆをそれぞれ設けているが、これらの段差部２ｄ，２ｅ，２ｆは係合ピン３が繰り返し通過することによって徐々に削られてくる。この場合、係合ピン３の基端側はカム溝２の図中幅方向中央に配置されているため、図１２（ａ）  に示すように係合ピン３が第１の溝部２ａの図中右側（第２の溝部２ａ側）の側面に沿って移動しようとする。このため、図１２（ｂ）  に示すように第１の溝部２ａの段差部２ｄが第２の溝部２ａの反対側に第２の溝部２ａ側に向かって突出する壁部２ｇを残すようにして削られ、こうして形成された壁部２ｇは係合ピン３を第２の溝部２ｂ側に案内しようとする。また、第１の溝部２ａと第２の溝部２ｂとの間の段差部２ｅも削られるが、第１の溝部２ａの段差部２ｄが削られて形成された傾斜部２ｄ′と、第２の溝部２ｂの段差部２ｅが削られて形成された傾斜部２ｅ′は互いに近接しているため、図１３（ａ）  に示すように前記壁部２ｇに案内された係合ピン３が第１の溝部２ａ側の傾斜部２ｄ′から第２の溝部２ｂ側の傾斜部２ｅ′に滑落しようとする。その結果、図１３（ｂ）  に示すように第１の溝部２ａの一端側から他端側に向かって移動する係合ピン３が第１の溝部２ａの他端側まで移動せずに直接第２の溝部２ｂに移動し、そのまま第３の溝部２ｃまで移動するなど、係合ピン３が第２の溝部２ｂに係止しなくなり、カム溝２がロック機能を果たさなくなるという問題点があった。
【０００７】
また、各溝部２ａ，２ｂ，２ｃの幅を広く形成すれば、第１の溝部２ａ側の傾斜部２ｄ′から第２の溝部２ｂ側の傾斜部２ｅ′への係合ピン３の滑落を防止することができるが、溝幅を広くした分だけカム溝２が大きくなり、スライド部材１が大型化するという欠点がある。
【０００８】
本発明は前記問題点に鑑みてなされたものであり、その目的とするところは、係合部材の繰り返しの移動によって第１の溝部内が削られる場合でも、カム溝の幅を広く形成せずにカム溝の機能を維持することのできるカード用コネクタを提供することにある。
【０００９】
【課題を解決するための手段】
本発明は前記目的を達成するために、請求項１では、一端側にカード挿入口を有するコネクタ本体と、コネクタ本体の他端側に設けられた複数のカード接続用端子と、カードと共にカード挿入方向に移動するスライド部材と、スライド部材をカード排出方向に付勢する付勢手段と、スライド部材に設けたカム溝に移動自在に係合する係合部材とを備え、カードを挿入方向に押圧すると係合部材をカム溝の第１の溝部の一端側から他端側に移動させ、カードの押圧を解除すると係合部材を第１の溝部の所定位置から第２の溝部に移動させて係合部材を第２の溝部の所定位置に係止し、再度カードを挿入方向に押圧すると係合部材を第２の溝部から第３の溝部の一端側に移動させ、カードの押圧を解除すると係合部材を第３の溝部の他端側に移動させるようにしたカード用コネクタにおいて、前記第１の溝部内における少なくとも第２の溝部の近傍に、第１の溝部の一端側から他端側に向かって移動する係合部材を第２の溝部の反対側に案内する案内部を設けている。これにより、係合部材がカム溝の第１の溝部を移動する際、係合部材が第１の溝部に設けた案内部によって幅方向一端側（第２の溝部の反対側）に案内されながら移動することから、係合部材の繰り返しの移動によって第１の溝部における第２の溝部の近傍が削られる場合でも、第１の溝部が削られる部分は第２の溝部の反対側に寄るように形成されるため、第１の溝部は係合部材を第２の溝部側に案内しようとする部分を残さずに削られる。
【００１０】
また、請求項２では、請求項１記載のカード用コネクタにおいて、前記案内部を第１の溝部の底面の幅方向一端側を他端側よりも低くすることによって形成している。これにより、請求項１の作用に加え、案内部が溝の底面における幅方向一端側が他端側よりも低くなるように形成されていることから、第１の溝部内の係合部材は第１の溝部の幅方向他端側よりも底面の低い案内部側に移動しようとし、第２の溝部の反対側に確実に案内される。
【００１１】
【発明の実施の形態】
図１乃至図７は本発明の一実施形態を示すもので、図１はカード用コネクタの斜視図、図２はその分解斜視図、図３はその要部斜視図、図４はカム溝の平面図、図５はその動作説明図、図６は図４のＡ−Ａ線矢視方向断面図、図７は段差部が削られたカム溝の平面図である。
【００１２】
このコネクタは、一端側からカード１が挿入されるコネクタ本体１０と、カード１と電気的に接続する複数の端子２０と、カード挿入方向に移動するスライド部材３０と、一端をコネクタ本体１０に連結された係合ピン４０とを備え、スライド部材３０には係合ピン４０が係合するカム溝５０が設けられている。
【００１３】
カード１は、内部に任意のデータを記録可能な記録媒体を有する周知のメモリーカードであり、その一端側には記録媒体と電気的に導通する複数の導電部（図示せず）が設けられている。
【００１４】
コネクタ本体１０は、金属板を成形してなる上側ハウジング１１と、合成樹脂の成型品からなる下側ハウジング１２とから構成され、各ハウジング１１，１２は互いに両側面部分を重ね合わせるように形成されている。コネクタ本体１０の一端側にはカード挿入口１０ａが設けられ、各ハウジング１１，１２間にはカード１を収容可能なスペースが形成されている。また、上側ハウジング１１の一側面には、係合ピン４０をスライド部材３０側に押圧する弾性片１１ａが設けられている。
【００１５】
各端子２０はコネクタ本体１０内の下面側に配置され、下側ハウジング１２に互いに幅方向に間隔をおいて保持されている。各端子２０の後端側にはカード１に接触する接触部２１が設けられ、接触部２１は上方に突出するように形成されている。各端子２０の前端側には図示しない基板に接続される接続部２２が設けられ、接続部２２は下方にＬ字状に屈曲するように形成されている。
【００１６】
スライド部材３０は合成樹脂によって形成され、下側ハウジング１２の幅方向一端側に前後方向に移動自在に係合している。スライド部材３０の後端側にはカード１の先端が係止する係止部３１が設けられ、係止部３１はスライド部材３０の一側方に突出するように形成されている。また、スライド部材３０は図示しないバネ等の付勢手段によって前方に付勢されている。
【００１７】
係合ピン４０は前後方向に延びる棒状の部材からなり、コネクタ本体１０の一側方に配置されている。係合ピン４０の両端側はそれぞれコネクタ本体１０に向かって屈曲しており、その一端側は下側ハウジング１２の一側面前端側に回動自在に連結されている。また、係合ピン４０の他端側はスライド部材３０のカム溝５０に係合しており、一端側を支点に回動しながらカム溝５０内を移動するようになっている。
【００１８】
カム溝５０はスライド部材３０の一側面に設けられ、第１の溝部５１、第２の溝部５２及び第３の溝部５３からなる。第１の溝部５１及び第３の溝部５３は互いに間隔をおいて上下に配置され、それぞれスライド部材３０の前後方向に延びている。また、第２の溝部５２は第１の溝部５１と第３の溝部５３との間に配置され、第１の溝部５１と第３の溝部５３とを連通するように上下方向に延びている。
【００１９】
第１の溝部５１は、互いに連続する第１の区間５１ａ、第２の区間５１ｂ、第３の区間５１ｃ及び第４の区間５１ｄからなり、第１の区間５１ａは第１の溝部５１の一端側に配置され、第４の区間５１ｄは第１の溝部５１の他端側に配置されている。第１、第３及び第４の区間５１ａ，５１ｃ，５１ｄはそれぞれ平坦に形成され、第２の区間５１ｂは第３の区間５１ｃに向かって上り傾斜をなすように形成されている。第３の区間５１ｃと第４の区間５１ｄとの間には第４の区間５１ｄ側が低くなる段差部５１ｅが設けられ、段差部５１ｅは第２の溝部５２に向かって傾斜している。また、第２の区間５１ｂ及び第３の区間５１ｃには係合ピン４０を幅方向一端側（第２の溝部５２の反対側）に案内する案内部５１ｆが設けられ、案内部５１ｆは溝の底面における幅方向一端側を他端側よりも低くなるように段差状に形成してなる。即ち、第１の溝部５１内の係合ピン４０は、図６（ａ）  に示すように第１の溝部５１の幅方向他端側よりも底面の低い案内部５１ｆ側に移動しようとするため、第１の溝部５１の幅方向一端側に沿うように移動する。この場合、係合ピン４０の先端は略球面状に形成されていることが好ましい。
【００２０】
第２の溝部５２は平坦に形成され、その一端側は第１の溝部５１の第４の区間５１ｄに連通している。第２の溝部５２は一端側及び他端側がそれぞれ第１の溝部５１及び第２の溝部５３に向かって斜めに延びるように形成され、その中央には係合ピン４０を係止する係止部５２ａが設けられている。また、第２の溝部５２と第４の区間５１ｄとの間には第２の溝部５２側が低くなる段差部５２ｂが設けられ、段差部５２ｂは第３の溝部５３に向かって傾斜している。
【００２１】
第３の溝部５３は、互いに連続する第１の区間５３ａ、第２の区間５３ｂ、第３の区間５３ｃ及び第４の区間５３ｄからなり、第１の区間５３ａは第３の溝部５３の一端側に配置され、第４の区間５３ｄは第３の溝部５３の他端側に配置されている。第１、第２及び第４の区間５３ａ，５３ｂ，５３ｄはそれぞれ平坦に形成され、第３の区間５３ｃは第４の区間５３ｄに向かって上り傾斜をなすように形成されている。この場合、第１の区間５３ａは第２の溝部５２の他端側に連通している。第１の区間５３ａと第２の溝部５２との間には第１の区間５３ａ側が低くなる段差部５３ｅが設けられ、段差部５３ｅは第２の区間５３ｂに向かって傾斜している。また、第４の区間５３ｄは第１の溝部５２の第１の区間５１ａに連通している。この場合、第４の区間５３ｄと第１の溝部５２との間には第１の溝部５２側が低くなる段差部５３ｆが設けられ、段差部５３ｆは第１の溝部５２に向かって傾斜している。
【００２２】
以上のように構成されたカード用コネクタにおいては、カード挿入口１０ａにカード１を挿入すると、カード１の先端がスライド部材３０の係止部３１に係止する。更に、カード１を挿入方向に押圧すると、スライド部材３０がカード１と共にカード挿入方向に移動し、図５（ａ）  に示すように係合ピン４０が第１の溝部５１の第１の区間５１ａから第２及び第３の区間５１ｂ，５１ｃを経て第４の区間５１ｄまで移動する。その際、係合ピン４０は第３の溝部５３の段差部５３ｆによって第１の溝部５１の第２の区間５１ｂ側に案内される。次に、カード１の押圧を解除すると、図５（ｂ）  に示すように係合ピン４０が第１の溝部５１の第４の区間５１ｄから第２の溝部５２の一端側に移動する。その際、係合ピン４０は第１の溝部５１の段差部５３ｅによって第２の溝部５２側に案内される。第２の溝部５２に移動した係合ピン４０は第２の溝部５２の係止部５２ａに係止し、前方への移動を規制される。これにより、カード１がコネクタ本体１０内に保持される。次に、再度カード１を挿入方向に押圧すると、図５（ｃ）  に示すように係合ピン４０が第２の溝部５２の他端側から第３の溝部５３の第１の区間５３ａに移動する。その際、係合ピン４０は第２の溝部５２の段差部５２ｂによって第３の溝部５３側に案内される。ここで、カード１の押圧を解除すると、図５（ｄ）  に示すように係合ピン４０が第３の溝部５３の第１の区間５３ａから第２及び第３の区間５３ｂ，５３ｃを経て第４の区間５１ｄまで移動した後、第１の溝部５１の第１の区間５１ａに移動する。これにより、カード１がコネクタ本体１０内から排出される。
【００２３】
ところで、カム溝５０の各段差部５１ｅ，５２ｂ，５３ｅ，５３ｆは、係合ピン３が繰り返し通過することによって徐々に削られ、特に第１の溝部５１の段差部５１ｅ及び第２の溝部５２の段差部５２ｂには、それぞれ傾斜部５１ｅ′，５２ｂ′が形成される。
【００２４】
一方、前記カード挿入時において、係合ピン４０が第１の溝部５１の第２の区間５１ｂ及び第３の区間５１ｃを移動する際、図６（ａ）  に示すように係合ピン４０は第２及び第３の区間５１ｂ，５１ｃに設けた案内部５１ｆによって幅方向一端側（第２の溝部５２の反対側）に案内され、幅方向一端側の側面に沿うように第２及び第３の区間５１ｂ，５１ｃを移動する。これにより、図６（ｂ）  に示すように第１の溝部５１の段差部５１ｅには前記傾斜部５１ｅ′が第２の溝部５２の反対側に寄るように形成されるため、段差部５１ｅは係合ピン４０を第２の溝部５２側に案内しようとする部分を残さずに削られる。
【００２５】
このように、本実施形態のカード用コネクタによれば、第１の溝部５１の第２の区間５１ｂ及び第３の区間５１ｃに設けた案内部５１ｆにより、第２の溝部５２の近傍を移動する係合ピン４０を第２の溝部５２の反対側に案内するようにしたので、係合ピン４０によって第１の溝部５１の段差部５１ｅが削られることにより形成される傾斜部５１ｅ′を第２の溝部５２の反対側に寄るように形成することができる。これにより、段差部５１ｅは係合ピン４０を第２の溝部５２側に案内しようとする部分を残さずに削られるので、第１の溝部５１の第３の区間５１ｃから第４の区間５１ｄに移動しようとする係合ピン４０が第１の溝部２ａの傾斜部５１ｅ′から直接第２の溝部５２側に移動することがなく、段差部５１ｅが削られてもカム溝５０の機能を確実に維持することができる。この場合、カム溝５０の幅を広くする必要がないので、スライド部材３０を大型化させることがなく、コネクタ本体１０の小型化に有利である。更に、第２の溝部５２の近傍を移動する係合ピン４０が案内部５１ｆによって常に第２の溝部５２の反対側に案内されるため、第１の溝部５１内が削られる前であっても、第１の溝部５１の一端側から他端側に向かって移動する係合ピン４０を確実に第１の溝部５１の他端側まで移動させることができる。
【００２６】
また、案内部５１ｆを溝の底面における幅方向一端側を他端側よりも低くなる段差状に形成したので、第１の溝部５１内の係合ピン４０は第１の溝部５１の幅方向他端側よりも底面の低い案内部５１ｆ側に移動しようとし、係合ピン４０を第２の溝部５２の反対側に確実に案内することができる。
【００２７】
尚、前記実施形態では、案内部５１ｆを第１の溝部５１の第２の区間５１ｂ及び第３の区間５１ｃに亘って形成したものを示したが、図８及び図９に示すように第３の区間５１ｃのみに同様の案内部５１ｇを設けるようにしてもよい。
【００２８】
また、前記実施形態では、案内部５１ｆを段差状に形成したものを示したが、図１０に示すように第１の溝部５１の底面を幅方向他端側から一端側に向かって下り傾斜をなすように形成して案内部５１ｈを構成するようにしてもよい。
【００２９】
【発明の効果】
以上説明したように、請求項１のカード用コネクタによれば、係合部材の繰り返しの移動によって第１の溝部における第２の溝部の近傍が削られる場合でも、第１の溝部は係合部材を第２の溝部側に案内しようとする部分を残さずに削られるので、係合部材が第１の溝部の他端側まで移動せずに直接第２の溝部側に移動することがなく、第１の溝部内が削られてもカム溝の機能を確実に維持することができる。この場合、カム溝の幅を広くする必要がないので、スライド部材を大型化させることがなく、コネクタ本体の小型化に有利である。
【００３０】
また、請求項２のカード用コネクタによれば、請求項１の効果に加え、第１の溝部内を移動する係合部材を第２の溝部の反対側に確実に案内することができるので、常に係合部材を第１の溝部の他端側まで移動させることができる。
【図面の簡単な説明】
【図１】本発明の一実施形態を示すカード用コネクタの斜視図
【図２】カード用コネクタの分解斜視図
【図３】カード用コネクタの要部斜視図
【図４】カム溝の平面図
【図５】カム溝の動作説明図
【図６】図４のＡ−Ａ線矢視方向断面図
【図７】段差部が削られたカム溝の平面図
【図８】案内部の他の実施形態を示すカム溝の平面図
【図９】図８のＡ−Ａ線矢視方向断面図
【図１０】案内部の他の実施形態を示す断面図
【図１１】従来例を示すカム溝の動作説明図
【図１２】従来例を示すカム溝の断面図及び平面図
【図１３】従来例を示すカム溝の断面図及び平面図
【符号の説明】
１…カード、１０…コネクタ本体、２０…端子、３０…スライド部材、４０…係合ピン、５０…カム溝、５１…第１の溝部、５１ｆ…案内部、５２…第２の溝部、５３…第３の溝部。
【図１】
2005005203.tif 000003
【図２】
2005005203.tif 000004
【図３】
2005005203.tif 000005
【図４】
2005005203.tif 000006
【図５】
2005005203.tif 000007
【図６】
2005005203.tif 000008
【図７】
2005005203.tif 000009
【図８】
2005005203.tif 000010
【図９】
2005005203.tif 000011
【図１０】
2005005203.tif 000012
【図１１】
2005005203.tif 000013
【図１２】
2005005203.tif 000014
【図１３】
2005005203.tif 000015